(57)【要約】【課題】簡易な構造としつつ、ベースプレートをスノーボードに取り付けた状態でサイズ調節を行うことのできるスノーボード用ビンディングを提供する。【解決手段】ベースプレート１２はつま先配置側に、スノーボード５２に対する取付け面に沿った方向におけるつま先配置側からのスライド嵌合を可能とする嵌合部２２を有すると共に、ブーツを乗せる面側に位置決め孔２０を踵側からつま先側にかけて複数設け、フットベット２４は、位置決めフレーム２６と、つま先フレーム３０と、を備え、位置決めフレーム２６には、ベースプレート１２に設けられた複数の位置決め孔２０のいずれか１つ以上に嵌合する凸部２８が設けられ、つま先フレーム３０には、嵌合部２２に対して取付け面に沿った方向からスライド嵌合する嵌合部３４が設けられていることを特徴とする。【選択図】図１
2020162632.tif 000002
【特許請求の範囲】
【請求項１】
スノーボードに固定されるベースプレートと、前記ベースプレートに固定されるフットベットとを有するスノーボードビンディングであって、
前記ベースプレートはつま先配置側に、前記スノーボードに対する取付け面に沿った方向におけるつま先配置側からスライド嵌合可能な第１嵌合部を有すると共に、ブーツを乗せる面側に位置決めのための第１係合部を設け、
前記フットベットは、位置決めフレームと、前記位置決めフレームの先端側に配置されたつま先フレームと、を備え、前記位置決めフレームには、前記ベースプレートに設けられた第１係合部に係合することで前記つま先フレームの位置決めを成す第２係合部が設けられ、前記つま先フレームには、前記第１嵌合部に対して前記取付け面に沿った方向からスライド嵌合する第２嵌合部が設けられていることを特徴とするスノーボード用ビンディング。
【請求項２】
前記第１嵌合部と前記第２嵌合部との間には抜け止め手段が設けられ、
前記第１嵌合部と前記第２嵌合部とは、少なくとも前記第１系合部の配置距離よりも長いスライド距離を有することを特徴とする請求項１に記載のスノーボード用ビンディング。
【請求項３】
前記抜け止め手段は、
前記第１嵌合部と前記第２嵌合部のいずれか一方に設けた係合爪と、
前記第１嵌合部と前記第２嵌合部のいずれか他方に設けた爪受部と、により構成されていることを特徴とする請求項２に記載のスノーボード用ビンディング。
【請求項４】
前記係合爪は、先端部と、反しを構成する傾斜部とを有し、
前記傾斜部は、先端部側からの力を受けた際に、傾斜角度を小さくする方向に逃げる可撓性を有することを特徴とする請求項３に記載のスノーボードビンディング。
【請求項５】
前記第１嵌合部は、前記取付け面に沿った方向のつま先配置側に突出する凸部であり、
前記第２嵌合部は、前記第１嵌合部を構成する凸部を収容する凹部であることを特徴とする請求項１乃至４のいずれか１項に記載のスノーボードビンディング。
【発明の詳細な説明】
【技術分野】
【０００１】
本発明は、スノーボード用ビンディングに係り特に、ソフトブーツをスノーボードに固定するためのビンディングに関する。
【背景技術】
【０００２】
ソフトブーツを固定するためのスノーボード用のビンディングは一般的に、ベースプレートとハイバック、フットベット、アンクルストラップ、およびトゥーストラップを基本として構成されている。こうしたビンディングを構成するベースプレートは、ブーツに比べてサイズのバリエーションが少ない。このため一般的には、ベースプレートに係合されるフットベットによりサイズの調節が行われている。
【０００３】
サイズ調節が可能なフットベットは、例えば踵部分とつま先部分とで分割可能な形態とされている。具体的には、踵部分に対するつま先部分の固定位置を調節することができるように構成されている。このような構成のフットベットは、サイズ調節を行った上でベースプレートに固定し、フットベットを固定したベースプレートをボードに固定する構成とされている。
【０００４】
しかし、このような構成のビンディングでは、サイズ調節の度にボードからベースプレートを取り外す必要があり、レンタルなど、サイズ調節の頻度が高い現場では、サイズ調節を簡易に行う事のできる構成のビンディングが求められていた。このような課題に対しては、特許文献１に開示されているようなビンディングが提案されている。
【０００５】
特許文献１に開示されているビンディングは、フットベッドの踵部分を含む載置部の先端側につま先部分を摺動可能に取り付けたものである。特許文献１に開示されているビンディングにおけるつま先部分には、調節方向に沿った溝が設けられている。また、踵部分を含む載置部には、貫通孔が設けられており、この貫通孔と溝にネジを挿通させ、溝に対して摺動可能なＴナットを配置する構成とされている。そして、つま先部分の後端に設けられた凸部を載置部に設けられた孔に嵌合させることにより、載置部に対するつま先部分の位置決めが成される。
【先行技術文献】
【特許文献】
【０００６】
【特許文献１】特開２０１３−１５０８５９号公報
【発明の概要】
【発明が解決しようとする課題】
【０００７】
上記特許文献１に開示されているビンディングによれば、Ｔナットがつま先部分の溝をスライドすることでサイズ調節を可能とし、踵部分を含む載置部に対する凹凸嵌合により位置決めが成される。このため、スノーボードからベースプレートを取り外す事なくサイズ調節を行うことができる。
【０００８】
しかし、特許文献１に開示されているビンディングは、ネジとＴナットのように、フットベットの載置部の先端、あるいはベースプレートの先端を挟み込むための要素が必要となる。このため、構造が複雑になると共に部品点数が増加し、価格の高騰を招くこととなる。
【０００９】
そこで本発明では、簡易な構造としつつ、ベースプレートをスノーボードに取り付けた状態でサイズ調節を行うことのできるスノーボード用ビンディングを提供することを目的とする。
【課題を解決するための手段】
【００１０】
上記目的を達成するための本発明に係るスノーボード用ビンディングは、スノーボードに固定されるベースプレートと、前記ベースプレートに固定されるフットベットとを有するスノーボードビンディングであって、前記ベースプレートはつま先配置側に、前記スノーボードに対する取付け面に沿った方向におけるつま先配置側からスライド嵌合可能な第１嵌合部を有すると共に、ブーツを乗せる面側に位置決めのための第１係合部を設け、前記フットベットは、位置決めフレームと、前記位置決めフレームの先端側に配置されたつま先フレームと、を備え、前記位置決めフレームには、前記ベースプレートに設けられた第１係合部に係合することで前記つま先フレームの位置決めを成す第２係合部が設けられ、前記つま先フレームには、前記第１嵌合部に対して前記取付け面に沿った方向からスライド嵌合する第２嵌合部が設けられていることを特徴とする。
【００１１】
また、上記のような特徴を有するスノーボード用ビンディングでは、前記第１嵌合部と前記第２嵌合部との間には抜け止め手段が設けられ、前記第１嵌合部と前記第２嵌合部とは、少なくとも前記第１系合部の配置距離よりも長いスライド距離を有するように構成すると良い。このような特徴を有する事により、意図せずベースプレートからフットベットが抜け落ちる虞が無くなる。また、スライド距離を確保することで、複数の凹部または貫通孔の配置範囲でのサイズ調整、および固定が可能となる。
【００１２】
また、上記のような特徴を有するスノーボード用ビンディングにおいて前記抜け止め手段は、前記第１嵌合部と前記第２嵌合部のいずれか一方に設けた係合爪と、前記第１嵌合部と前記第２嵌合部のいずれか他方に設けた爪受部と、により構成されるようにしても良い。このような特徴を有する事によれば、簡易な構成で抜け止めを実現することができる。
【００１３】
また、上記のような特徴を有するスノーボード用ビンディングにおいて前記係合爪は、先端部と、反しを構成する傾斜部とを有し、前記傾斜部は、先端部側からの力を受けた際に、傾斜角度を小さくする方向に逃げる可撓性を有するようにしても良い。このような特徴を有する事によれば、スノーボードに対してベースプレートを固定した後に、ベースプレートにフットベットを組み付ける事ができる。
【００１４】
さらに、上記のような特徴を有するスノーボード用ビンディングにおいて前記第１嵌合部は、前記取付け面に沿った方向のつま先配置側に突出する凸部であり、前記第２嵌合部は、前記第１嵌合部を構成する凸部を収容する凹部とすることができる。このような特徴を有する事によれば、スライド嵌合が可能な構成を簡易に形成することができる。
【発明の効果】
【００１５】
上記のような特徴を有するスノーボード用ビンディングによれば、簡易な構造としつつ、ベースプレートをスノーボードに取り付けた状態でサイズ調節を行うことができる。
【図面の簡単な説明】
【００１６】
【図１】第１実施形態に係るビンディングの構成を示す斜視図である。
【図２】発明に係るビンディングをスノーボードに取り付けた状態を示す斜視図である。
【図３】図１におけるＡ−Ａ断面を示す図である。
【図４】第１実施形態に係るビンディングの構成を示す分解斜視図である。
【図５】第１実施形態に係るビンディングにおける裏面側の構成を示す分解斜視図である。
【図６】第１実施形態における第１変形例を構成するベースプレートの形態を示す平面図である。
【図７】第１実施形態における第２変形例を構成するベースプレートとフットベットの形態を示す部分拡大図断面図である。
【図８】第２実施形態に係るビンディングにおける裏面側の構成を示す分解斜視図である。
【図９】第２実施形態に係るビンディングにおける分解断面図である。
【図１０】第２実施形態に係るビンディングにおけるベースプレートとフットベットとの組み付けの様子を示す断面図である。
【図１１】第２実施形態に係るビンディングの構成を示す断面図である。
【図１２】第２実施形態における変形例を構成するフットベットの形態を示す断面図である。
【図１３】第３実施形態に係るビンディングの構成を示す分解斜視図である。
【図１４】第３実施形態に係るビンディングにおけるベースプレートとフットベットとの組み付けの様子を説明するための分解部分断面図である。
【図１５】第３実施形態に係るビンディングにおけるベースプレートとフットベットとの組み付けの様子を説明するための仮組部分断面図である。
【図１６】第３実施形態に係るビンディングにおけるベースプレートとフットベットとの組み付けの様子を説明するための部分断面図である。
【発明を実施するための形態】
【００１７】
以下、本発明のスノーボード用ビンディングに係る実施の形態について、図面を参照して詳細に説明する。なお、以下に示す実施の形態は、本発明を実施する上での好適な形態の一部に過ぎず、発明の効果を奏する範囲において、形態の一部に変化を加えたとしても、本発明の一部とみなすことができる。
【００１８】
［第１実施形態］
まず、図１から図５を参照して、第１実施形態に係るスノーボード用ビンディング（以下、単にビンディング１０と称す）について説明する。ビンディング１０は一般的に、図２に示すようにスノーボード５２の長手方向（矢印Ａで示す方向）に対して交差する方向にブーツ（不図示）の長手方向が向くように配置される。本実施形態に係るビンディング１０は、ベースプレート１２と、フットベット２４を基本として構成されている。
【００１９】
［ベースプレート］
ベースプレート１２は、図示しないディスクを介してスノーボード５２に固定される要素である。図２に示す例では、ヒールカップ１４に当接するハイバック１６と、フットベット２４に取り付けるクッション５０が備えられている。また、実際にビンディング１０を使用する際、ベースプレート１２には、図示しないアンクルストラップやトゥーストラップなども取り付けられる。
【００２０】
ベースプレート１２の底板１２ａには少なくとも、角度調整孔１８や、位置決め孔２０（第１係合部）、および嵌合部２２（第１嵌合部）が備えられている。角度調整孔１８は、ディスクに対する係合用の貫通孔であり、孔の外周には、ディスクに噛み合う凹凸部を有する。位置決め孔２０は、詳細を後述するフットベット２４におけるつま先フレーム３０の位置を定めるための要素であり、図３、図４に示す例では、ベースプレート１２における踵配置側からつま先配置側にかけて３箇所の位置決めができるように貫通孔が形成されている。本実施形態では、位置決め孔２０は、底板１２ａの幅方向に対を成すように設けられていることより、合計６つの位置決め孔２０が形成されている。
【００２１】
幅方向に対を成すように位置決め孔２０を設けることにより、調節位置の安定化を図ると共に、幅方向において調整位置にズレが生ずる事を防ぐことができる。なお、本実施形態では、３箇所の位置決めが可能なように、６つの位置決め孔２０を設ける構成としているが、その数や配置は、これに限定するものではない。すなわち、位置決め箇所を増減したり、孔の配置数を増減したりしても良い。位置決め孔２０の数や配置形態の変更は、調整幅の変更に過ぎないからである。
【００２２】
嵌合部２２は、詳細を後述するフットベット２４をスライド嵌合させるための要素である。本実施形態では、ベースプレート１２を構成する底板１２ａにおけるつま先部分に相当する部位に突設されている凸部により、嵌合部２２を構成している。また、本実施形態では、位置決め孔２０と同様に底板１２ａの幅方向に一対の嵌合部２２を設けている。嵌合部２２を底板１２ａの幅方向に離間して配置することで、フットベット２４をスライド嵌合させた際に、捻り等の外力に対する耐性を高めることができるからである。
【００２３】
ベースプレート１２にフットベット２４を組み付けた際には、フットベット２４の底面がベースプレート１２における底板１２ａの底面と面位置となるように構成される必要がある。このような構成とすることで、ビンディング１０を介して入力された力をスノーボード５２に効率的に伝達することができるからである。本実施形態では、フットベット２４は、嵌合部２２を覆うように取り付けられる。このため、図３、図５に示すように嵌合部２２、及び底板１２ａの先端部は、底板１２ａの他の面に対して下面位置が高くなるように形成されている。このような形態とすることで、フットベット２４を組み付けた際、その一部が嵌合部２２の下面側に配置されたとしても、フットベット２４の底面と底板１２ａの底面を面位置とすることができるからである。
【００２４】
［フットベット］
フットベット２４は、位置決めフレーム２６とつま先フレーム３０を備えている。位置決めフレーム２６は、ベースプレート１２に対するフットベット２４の固定位置を定めるための要素である。本実施形態では、位置決めフレーム２６に凸部２８（第２係合部）を設けている。凸部２８は、ベースプレート１２にフットベット２４を取り付けた際、位置決め孔２０に対応することとなる位置に、幅方向に１箇所ずつ設けられている。このような配置形態とすることで、位置決め孔２０に凸部２８を係合させることで、ベースプレート１２に対するフットベット２４の長手方向の位置を定めることができる。凸部２８は、可撓性を有する部材により構成された係合爪であり、位置決め孔２０に対する係合が成された場合、係合解除に所定の力による引っ張りが必要となるように構成されている。なお、係合解除に要する力は、凸部２８の形状や素材等に基づいて適宜調整することができる。
【００２５】
また、本実施形態では、凸部２８は幅方向に１箇所ずつとしているが、位置決め孔２０の配置間隔に合わせて２箇所ずつ以上設けるようにしても良い。このような構成とした場合には、位置決め時の係合強度を高めることができる。また、このような構成とする場合でも、位置決め孔２０の配置数を増やす事で、調整幅を確保することができる。
【００２６】
つま先フレーム３０は、位置決めフレーム２６の先端側に配置され、ベースプレート１２を構成する嵌合部２２にスライド嵌合するための要素である。つま先フレーム３０は、フレーム本体３２と、嵌合部３４（第２嵌合部）を有する。フレーム本体３２は、ブーツ（足）のつま先部分が載せられる部位であり、つま先部分に入力された力をスノーボード５２に伝達する役割を担う要素である。
【００２７】
嵌合部３４は、フレーム本体３２に設けられている凹部であり、ベースプレート１２を構成する嵌合部２２とスライド嵌合するための要素である。嵌合部３４は、フレーム本体３２に対してスノーボード５２に対するベースプレート１２の配置方向に沿った方向であって、嵌合部２２の延設方向に沿って凹部を設けることにより構成することができる。本実施形態では、フレーム本体３２の後端側（位置決めフレーム２６配置側）に薄肉部３２ａ（図５参照）を設け、薄肉部３２ａとフレーム本体３２の境界部分からフレーム本体３２の先端側に向けて、薄肉部３２ａを配置した面側（表面側）から板厚方向に向けて凹溝を形成することで、嵌合部３４を構成している。
【００２８】
嵌合部３４をこのように構成する場合、２分割の金型により形状形成を行うことができる。また、薄肉部３２ａと凹溝により、ベースプレート１２を構成する嵌合部２２を上下左右から支持可能な構成となる。このため、実質的にスノーボード５２に対するベースプレート１２の配置方向に沿った方向から形成した凹部と同様な作用を担うことができる。よって、このような形態の嵌合部３４であっても、本願でいう凹部の範囲に含まれる。
【００２９】
なお、本実施形態では、位置決め孔２０について、貫通孔である旨記載した。しかしながら、フットベット２４に設けた凸部２８との係合が可能であれば、凹部により構成しても良い。所定の係合力を得ることができれば、同様な効果を得ることができるからである。
【００３０】
また、上述したように、上記実施形態では、第１係合部について貫通孔、あるいは凹部により構成される位置決め孔２０と説明し、第２係合部については、貫通孔、あるいは凹部に係合可能な凸部２８である旨説明した。しかしながら、両者の係合により、つま先フレーム３０の位置決めが可能であれば、第１係合部と第２係合部の凹凸を逆転させても良い。
【００３１】
［組付け］
上記のような構成のベースプレート１２に対するフットベット２４の組付けは、次のように行えば良い。まず、スノーボード５２に対してベースプレート１２を固定する。この時、ベースプレート１２の固定位置と、固定角度を図示しないディスクを介して定めるようにする。
【００３２】
次に、ベースプレート１２の嵌合部２２にフットベット２４のつま先フレーム３０に設けられている嵌合部３４をスライド嵌合させて、ブーツのサイズに合わせたつま先フレーム３０の位置を決定する。つま先フレーム３０の位置決めを行った後、ベースプレート１２に形成されている位置決め孔２０に対して、位置決めフレーム２６の凸部２８を係合させてフットベット２４を固定する。
【００３３】
［効果］
上記のような構成のビンディング１０では、フットベット２４を単一部材の簡易な構造としつつ、ベースプレート１２をスノーボード５２に取り付けた状態でサイズ調節を行うことができる。また、スノーボード５２に対するベースプレート１２の固定を行った後、フットベット２４をつま先側からスライド係合させることもでき、ビンディング１０の取り付け、および調整の作業性を向上させることができる。
【００３４】
［変形例１］
上記実施形態では、ベースプレート１２を構成する嵌合部２２は、ベースプレート１２における底板１２ａの幅方向に対を成すように設けられ、フットベット２４の嵌合部３４は、嵌合部２２の配置位置に対応するように備えられている旨記載した。
【００３５】
しかしながら、嵌合部２２の形状や配置形態は、図示されているものに限られない。例えば図６に示すように、ベースプレート１２における底板１２ａの幅方向中央部に１つの嵌合部２２を有する形態であっても良い。また、図示しないが、２つ以上の嵌合部２２を有する形態であっても良い。いずれの形態であっても、本発明の課題を解決することができるからである。
【００３６】
［変形例２］
また、上記実施形態では、嵌合部２２と嵌合部３４について、ベースプレート１２側の嵌合部２２は凸状に形成し、フットベット２４側の嵌合部３４は凹状に形成する旨記載した。しかしながら、形状形成する上で問題がなければ図７（Ａ）、（Ｂ）に示すように、ベースプレート１２側の嵌合部２２を凹状に形成し、フットベット２４側の嵌合部３４を凸状に形成するようにしても良い。凹凸の組み合わせによる嵌合は、いずれを凸状、あるいは凹状としても、同様な効果を得ることができるからである。なお、図７において、図７（Ａ）は、ベースプレート１２に対するフットベット２４の組み付け前の状態を示し、図７（Ｂ）は、組み付け後の状態を示す部分断面図である。
【００３７】
［第２実施形態］
次に、図８から図１１を参照して、第２実施形態に係るスノーボード用ビンディング（以下、ビンディング１０Ａと称す）について説明する。本実施形態に係るビンディング１０Ａは、その殆どの構成を上述した第１実施形態に係るビンディング１０と同様としている。よって、その機能を同一とする部分には、図面に同一符号を付して詳細な説明は省略することとする。
【００３８】
本実施形態に係るビンディング１０Ａと、第１実施形態に係るビンディング１０との相違は、ベースプレート１２を構成する嵌合部２２と、フットベット２４を構成する嵌合部３４にあり、具体的には次のような点にある。
【００３９】
本実施形態では、フットベット２４の嵌合部３４に係合爪３４ａを設けている。係合爪３４ａは、嵌合部３４の底板部分に、踵側に傾斜面、つま先側に反しを備えるように凸設されている。また、係合爪３４ａを凸設している底板部分の両脇には、スリット３４ｂを設け、係合爪３４ａが爪受部２２ｂを乗り越えるための可撓性を持つように構成されている。
【００４０】
ベースプレート１２の嵌合部２２は、係合状態において係合爪３４ａと対向することとなる面に凹溝が設けられて非係合領域２２ａが定められると共に、爪受部２２ｂを設ける構成としている。非係合領域２２ａは、係合爪３４ａが摺動可能な領域であり、少なくとも複数の位置決め孔２０の配置距離よりも長い摺動距離が得られるように定められる。爪受部２２ｂは、フットベット２４の嵌合部３４に設けた係合爪３４ａの反しが掛かる部分である。爪受部２２ｂは、非係合領域２２ａの先端部（つま先側）に位置する部位に設けるようにすれば良い。
【００４１】
このような構成のビンディング１０Ａでは、ベースプレート１２の嵌合部２２にフットベット２４のつま先フレーム３０に形成した嵌合部３４をつま先側から踵側に向けた方向に押し付けることで、図１０に示すように係合爪３４ａが爪受部２２ｂを乗り越え、図１１に示すように非係合領域２２ａに配置される。この状態でベースプレート１２をスノーボード５２に固定することで、係合爪３４ａが逃げる方向の撓みがスノーボード５２によって抑えられることとなる。このため、ベースプレート１２からフットベット２４が抜け落ちる虞が無くなる。
【００４２】
このような構成のビンディング１０Ａとした場合でも、フットベット２４を単一部材の簡易な構造としつつ、ベースプレート１２をスノーボード５２に取り付けた状態でサイズ調節を行うことができる。なお、このような構成のビンディング１０Ａではフットベット２４を構成する位置決めフレーム２６とつま先フレーム３０との間に、可撓部３６を備えるようにすると良い。スノーボード５２からベースプレート１２を外したり、位置決め、角度決めを行う際、つま先フレーム３０をベースプレート１２に取り付けたまま、位置決めフレーム２６をめくり上げて作業を行うことが可能となるからである。
【００４３】
［変形例］
上記実施形態では、係合爪３４ａを凸状に形成し、底板部分を撓ませることで、爪受部２２ｂを乗り越えて嵌合部２２と嵌合部３４のスライド嵌合が可能な構成とした。このため、スノーボード５２にベースプレート１２を取り付けた状態では、ベースプレート１２にフットベット２４を組付けることも、取り外す事もできない構成となっている。
【００４４】
しかしながら、上記実施形態の係合爪３４ａは、必ずしも凸状の山形とする必要はない。例えば図１２（Ａ）に示すように、傾斜部について、可撓性を有する板状に形成しても良い。傾斜部をこのような構成とした場合、図１２（Ｂ）に示すように、係合爪３４ａの先端側からの力を受けた際に、その傾斜角度を小さくする方向に逃げることが可能な構成とすることができる。なお、図１２（Ｂ）は、変形例に係る係合爪３４ａが爪受部２２ｂを乗り越える際の形態を示す断面図である。
【００４５】
このような構成とした場合、ベースプレート１２にフットベット２４を組み付ける際には、嵌合部３４の底板部分に撓みを生じさせなくとも、係合爪３４ａ自体が撓む事で爪受部２２ｂを乗り越え、両者のスライド嵌合を成すことが可能となる。一方、ベースプレート１２とフットベット２４との組み付けを解除する場合には、爪受部２２ｂに係合爪３４ａの反しが当接することとなり、係合爪３４ａを構成する傾斜面の撓みは機能しなくなる。このため、フットベット２４の脱落防止機能は維持されることとなる。
【００４６】
よって、係合爪３４ａの傾斜面に可撓性を持たせた場合、第１実施形態に係るビンディング１０と同様に、スノーボード５２に対してベースプレート１２を固定した後、ベースプレート１２に対してフットベット２４を組み付けることができるようになる。
【００４７】
［第３実施形態］
次に、図１３から図１６を参照して、第３実施形態に係るスノーボード用ビンディング（以下、ビンディング１０Ｂと称す）について説明する。本実施形態に係るビンディング１０Ｂは、その殆どの構成を上述した第１実施形態に係るビンディング１０と同様としている。よって、その機能を同一とする部分には、図面に同一符号を付して詳細な説明は省略することとする。
【００４８】
本実施形態に係るビンディング１０Ｂと、第１実施形態に係るビンディング１０との相違は、ベースプレート１２を構成する嵌合部２２と、フットベット２４を構成する嵌合部３４にあり、具体的には次のような点にある。
【００４９】
本実施形態では図１３に示すように、ベースプレート１２に設けた嵌合部２２に対して、厚み方向に向けたスリット２２ｃを嵌合部２２の長手方向、すなわち踵側からつま先側に向けた方向に沿って形成している。スリット２２ｃは、嵌合部２２の先端に至らない位置から、嵌合部２２の基端よりも角度調整孔１８側に至る範囲で設けている。
【００５０】
フットベット２４には、ベースプレート１２の嵌合部２２に設けたスリット２２ｃに係合可能な凸部３４ｃが設けられている。凸部３４ｃは、図１４から図１６に示す例では、位置決めフレーム２６とつま先フレーム３０との境界に位置する薄肉部３２ａに設けるようにしている。薄肉部３２ａに凸部３４ｃを設けることにより、スリット２２ｃに凸部３４ｃを係合させた後、嵌合部２２と嵌合部３４をスライド嵌合させることができるからである。
【００５１】
このような構成のビンディング１０Ｂは、スノーボード５２にベースプレート１２を取り付けた後、図１４に示すように、ベースプレート１２に対してフットベット２４を板厚方向（矢印Ｂで示す方向）から押し付けることで、薄肉部３２ａに設けた凸部３４ｃをスリット２２ｃに係合させる。スリット２２ｃと凸部３４ｃの係合が成された後、図１５に示すように、取り付け面に沿った方向（矢印Ｃで示す方向）にフットベット２４をスライドさせ、嵌合部２２と嵌合部３４をスライド嵌合させることで、ベースプレート１２に対するつま先フレーム３０の固定位置を定める（図１６参照）。つま先フレーム３０の固定位置が定まった後、位置決めフレーム２６の凸部２８を位置決め孔２０に係合させてベースプレート１２に対するフットベット２４の組付けを完了させる。
【００５２】
このような構成のビンディング１０Ｂとした場合でも、フットベット２４を単一部材の簡易な構造としつつ、ベースプレート１２をスノーボード５２に取り付けた状態でサイズ調節を行うことができる。また、スノーボード５２にベースプレート１２を取り付けた後に、フットベット２４の組付けを行うことができる。さらに、凸部３４ｃをスリット２２ｃに係合させていることにより、ベースプレート１２からフットベット２４が脱落することを防ぐことができる。
【００５３】
また、凸部３４ｃを凸部２８と同様に、可撓性を有する部材により構成し、所定の力による引っ張りの力を加えることでスリット２２ｃに対する係合が解除されるように構成した場合、フットベット２４に対して、ベースプレート１２の板厚方向に持ち上げる力を加える事により、スリット２２ｃに対する凸部３４ｃの係合が解除される。このため、スノーボード５２にベースプレート１２を取り付けた状態を維持したまま、ベースプレート１２とフットベット２４の組付けを解除することができる。
【産業上の利用可能性】
【００５４】
上記実施形態では、ビンディング１０，１０Ａ，１０Ｂの取り付け対象をスノーボード５２に限定しているが、ブーツを固定するための板部材であれば、その名称がスノーボードである必要性は無い。
【符号の説明】
【００５５】
１０，１０Ａ，１０Ｂ………ビンディング、１２………ベースプレート、１２ａ………底板、１４………ヒールカップ、１６………ハイバック、１８………角度調整孔、２０………位置決め孔、２２………嵌合部、２２ａ………非係合領域、２２ｂ………爪受部、２２ｃ………スリット、２４………フットベット、２６………位置決めフレーム、２８………凸部、３０………つま先フレーム、３２………フレーム本体、３２ａ………薄肉部、３４………嵌合部、３４ａ………係合爪、３４ｂ………スリット、３４ｃ………凸部、３６………可撓部、５０………クッション、５２………スノーボード。
【図１】
2020162632.tif 000003
【図２】
2020162632.tif 000004
【図３】
2020162632.tif 000005
【図４】
2020162632.tif 000006
【図５】
2020162632.tif 000007
【図６】
2020162632.tif 000008
【図７】
2020162632.tif 000009
【図８】
2020162632.tif 000010
【図９】
2020162632.tif 000011
【図１０】
2020162632.tif 000012
【図１１】
2020162632.tif 000013
【図１２】
2020162632.tif 000014
【図１３】
2020162632.tif 000015
【図１４】
2020162632.tif 000016
【図１５】
2020162632.tif 000017
【図１６】
2020162632.tif 000018